(57)【要約】【課題】  特別な道具立てを必要とせず、手早く被写体の画像情報を得るとともに、必要十分な付加情報を画像情報に付加させることができ、且つ、遠隔地にもリアルタイムで被写体の画像情報を提供する。【解決手段】  画像形成装置１０は、レンズ系を介して撮像素子に被写体像を結像し、寸法に関するデータに基づいたスケールを被写体像に対応付けて画像情報を生成する撮像手段１１と、外部から入力された被写体に関する付加情報を生成された画像情報に関連付ける付加情報登録手段１２と、付加情報を関連付けられた画像情報を外部に送信する画像情報送信手段１５とを備え、業者側端末装置３０は、ネットワーク２０を介して入力された画像情報を受信する画像情報受信手段３１と、受信された画像情報に基づいて被写体にスケール及び付加情報が記載された画像を出力する画像出力手段３３とを備えた。【選択図】      図１
2005039653.tif 000002
【特許請求の範囲】
【請求項１】
撮像現場において撮像対象の画像情報を取得する画像形成装置と、前記画像形成装置とネットワークを介して接続され、前記画像形成装置により取得された画像情報に基づいて印刷画像を提供する業者側端末装置とを含む画像形成システムであって、
前記画像形成装置は、
レンズ系を介して撮像素子に被写体像を結像し、該結像時の合焦情報、ズーム情報、距離情報、及び絞り情報に基づいて寸法に関するデータを演算し、その演算データに基づいたスケールを前記被写体像に対応付けて画像情報を生成する撮像手段と、
外部から入力された前記被写体に関する付加情報を前記撮像手段により生成された画像情報に関連付ける付加情報登録手段と、
前記付加情報登録手段により付加情報を関連付けられた画像情報を外部に送信する画像情報送信手段と
を備え、
前記業者側端末装置は、
前記画像情報送信手段により送信され、前記ネットワークを介して入力された前記画像情報を受信する画像情報受信手段と、
前記画像情報受信手段により受信された画像情報に基づいて前記被写体に前記スケール及び前記付加情報が記載された画像を出力する画像出力手段と
を備えたことを特徴とする画像形成システム。
【請求項２】
請求項１に記載の画像形成システムにおいて、
前記被写体が魚であり、
前記画像情報は、魚拓を形成するための画像情報である
ことを特徴とする画像形成システム。
【請求項３】
請求項１又は２に記載の画像形成システムにおいて、
前記付加情報には、前記被写体となる撮像対象を所定種類に区別した種別情報が含まれ、
前記種別情報ごとに前記撮像対象の寸法から重量を求める重量係数を予め格納する重量係数格納手段と、
前記付加情報から読み取った前記種別情報、該種別情報に対応する重量係数、及び前記スケールから求まる前記撮像対象の寸法に基づいて前記撮像対象の重量を算出する重量算出手段と
を備え、
前記付加情報登録手段は、前記付加情報とともに前記重量算出手段により算出された重量を前記撮像手段により生成された画像情報に関連付ける
ことを特徴とする画像形成システム。
【請求項４】
請求項１〜３のいずれか一項に記載の画像形成システムにおいて、
前記画像出力手段は、前記被写体に前記スケール及び前記付加情報が記載された画像を印刷用紙に印字する印刷手段からなる
ことを特徴とする画像形成システム。
【請求項５】
請求項１〜３のいずれか一項に記載の画像形成システムにおいて、
前記画像出力手段は、前記被写体に前記スケール及び前記付加情報が記載された画像を表示する表示手段からなる
ことを特徴とする画像形成システム。
【請求項６】
請求項１〜５のいずれか一項に記載の画像形成システムにおいて、
前記業者側端末装置は、
前記画像出力手段により出力される画像を、縮小または拡大する倍率設定を行う倍率設定手段を備え、
前記画像出力手段は、前記倍率設定手段により設定された倍率に応じた画像を出力する
ことを特徴とする画像形成システム。
【請求項７】
レンズ系を介して撮像素子に被写体像を結像し、該結像時の合焦情報、ズーム情報、距離情報、及び絞り情報に基づいて寸法に関するデータを演算し、その演算データに基づいたスケールを前記被写体像に対応付けて画像情報を生成する撮像手段と、
外部から入力された前記被写体に関する付加情報を前記撮像手段により生成された画像情報に関連付ける付加情報登録手段と、
前記付加情報登録手段により付加情報を関連付けられた画像情報を外部に送信する画像情報送信手段と
を備えたことを特徴とする画像形成装置。
【請求項８】
レンズ系を介して撮像素子に被写体像を結像し、該結像時の合焦情報、ズーム情報、距離情報、及び絞り情報に基づいて寸法に関するデータを演算し、その演算データに基づいたスケールを前記被写体像に対応付けた画像情報を生成する撮像ステップと、
外部から入力された前記被写体に関する付加情報を前記撮像手段により生成された画像情報に関連付ける付加情報登録ステップと、
前記付加情報登録手段により付加情報を関連付けられた画像情報を外部に送信する画像情報送信ステップと
を含むことを特徴とする画像形成装置の制御方法。
【請求項９】
レンズ系を介して撮像素子に被写体像を結像し、該結像時の合焦情報、ズーム情報、距離情報、及び絞り情報に基づいて寸法に関するデータを演算し、その演算データに基づいたスケールを前記被写体像に対応付けた画像情報を生成する撮像ステップと、
外部から入力された前記被写体に関する付加情報を前記撮像手段により生成された画像情報に関連付ける付加情報登録ステップと、
前記付加情報登録手段により付加情報を関連付けられた画像情報を外部に送信する画像情報送信ステップと
を画像形成装置に実行させることを特徴とする画像形成装置の制御プログラム。
【発明の詳細な説明】
【技術分野】
【０００１】
本発明は、画像形成システム、画像形成装置、その制御方法、及びその制御プログラムに関し、より詳しくは、撮像対象の大きさ，重量等が把握できる画像情報を手早く、かつ正確に提供する、特に、釣った魚の魚拓を作成するための画像情報を提供する画像形成システム、画像形成装置、その制御方法、及びその制御プログラムに関する。
【背景技術】
【０００２】
従来より、魚拓は、魚釣りにおいて、釣った魚の記録を保存すると同時に、魚拓された魚を真に所持する者が釣ったことを証明するための証明書としても用いられている。
このような魚拓の作成は、専門の職人が魚の表面に適度な濃度の墨を塗布してから、和紙を押しつけて魚の形を写し取り、更にその作業を行った職人が落款を捺印して作成していた。
したがって、素人が魚拓を作成すると、鱗や鰭等のような細かい模様までも写し取ることができず、また、専門家に依頼するとコストがかかるといった様々な問題があった。
【０００３】
このような観点から、素人であっても容易に魚拓を作成できるような画像形成装置を含む画像形成システムが提案されている。
従来の画像形成システムによる魚拓の作成方法として、魚を予め定められたメッシュシート上で撮像し、この撮像された画像をデジタル符号化して出力し、デジタル符号化された魚の画像から魚拓イメージを作成して出力する技術が提案されている（例えば、特許文献１参照。）。
この技術を用いることにより、メッシュシートにより魚の大きさが正確に把握できる魚拓を容易に作成することができ、さらに、画像情報はデジタル符号化されているため、加工，編集を容易に行うことができる。
【特許文献１】特開平９−３０５７４２号公報（第３−５頁、第１図）
【発明の開示】
【発明が解決しようとする課題】
【０００４】
しかしながら、以上のような従来の画像形成システムによれば、被写体となる魚をメッシュシート上で撮像しているため、例えば、魚が生きている状態で魚拓を作成する場合には被写体が安定せず、失敗が多いといった問題があった。
特に、近年では、釣った魚を生かしたまま放す、いわゆる「キャッチ・アンド・リリース」を行うことが多いため、従来の画像形成システムでは、撮影が困難であった。
【０００５】
また、魚拓は上述したように証明書としての役割を有するため、魚の重量、魚名、日時、釣り場、釣り人、現認者などの情報も記す必要がある。
しかしながら、従来の画像形成システムによれば、メッシュシートにより魚の大きさは把握できるが、重量等は別個に計測し、画像形成システムにより形成された魚拓に記入する必要があった。
【０００６】
さらに、従来の画像形成システムにおいて、撮像した魚の画像情報から魚拓を作成する場合にあっては、釣り場で撮像した魚の画像情報をフレキシブルディスク等の記憶媒体に記憶させて持ち帰り、その後にプリンタに接続されたパーソナルコンピュータに画像情報を読み取らせることにより魚拓を作成していたため、魚を釣り上げた直後に遠隔地の家族や釣具店に報告することができなかった。
【０００７】
本発明は、以上のような問題を解決するためになされたものであり、特別な道具立てを必要とせず、手早く被写体の画像情報を得るとともに、必要十分な付加情報を画像情報に付加させることができ、且つ、遠隔地にもリアルタイムで被写体の画像情報を提供することのできる画像形成システム、画像形成装置、その制御方法、及びその制御プログラムの提供を目的とする。
【課題を解決するための手段】
【０００８】
上記目的を達成するため、本発明の請求項１に記載の画像形成システムは、撮像現場において撮像対象の画像情報を取得する画像形成装置と、画像形成装置とネットワークを介して接続され、画像形成装置により取得された画像情報に基づいて印刷画像を提供する業者側端末装置とを含む画像形成システムであって、画像形成装置は、レンズ系を介して撮像素子に被写体像を結像し、該結像時の合焦情報、ズーム情報、距離情報、及び絞り情報に基づいて寸法に関するデータを演算し、その演算データに基づいたスケールを被写体像に対応付けて画像情報を生成する撮像手段と、外部から入力された被写体に関する付加情報を撮像手段により生成された画像情報に関連付ける付加情報登録手段と、付加情報登録手段により付加情報を関連付けられた画像情報を外部に送信する画像情報送信手段とを備え、業者側端末装置は、画像情報送信手段により送信され、ネットワークを介して入力された画像情報を受信する画像情報受信手段と、画像情報受信手段により受信された画像情報に基づいて被写体にスケール及び付加情報が記載された画像を出力する画像出力手段とを備えた構成としてある。
【０００９】
画像形成システムをこのような構成にすれば、撮像手段が、寸法に関するデータを演算し、その演算データに基づいたスケールを被写体像に対応付けて画像情報を生成するので、従来のように被写体をメッシュシートに位置合わせする必要もなく、且つ特別な道具立てを必要とせずに画像情報を得られる。
また、業者側端末装置では、付加情報を含む画像情報を受信し、その付加情報を記載した画像を表示、又は印刷することができる。
したがって、例えば、業者側端末装置が受信した画像情報が、釣り人により釣り上げられた魚の画像情報である場合には、付加情報に基づく正確な魚拓を即座に作成することができる。
【００１０】
本発明の請求項２に記載の画像形成システムは、請求項１に記載の画像形成システムにおいて、被写体が魚であり、画像情報は、魚拓を形成するための画像情報である構成としてある。
画像形成システムをこのような構成にすれば、画像形成装置が送信する画像情報が、釣り人が釣って間もない魚の画像情報であっても、付加情報に基づく正確な魚拓を即座に作成することができる。
【００１１】
本発明の請求項３に記載の画像形成システムは、請求項１又は２に記載の画像形成システムにおいて、付加情報には、被写体となる撮像対象を所定種類に区別した種別情報が含まれ、種別情報ごとに撮像対象の寸法から重量を求める重量係数を予め格納する重量係数格納手段と、付加情報から読み取った種別情報、該種別情報に対応する重量係数、及びスケールから求まる撮像対象の寸法に基づいて撮像対象の重量を算出する重量算出手段とを備え、付加情報登録手段は、付加情報とともに重量算出手段により算出された重量を撮像手段により生成された画像情報に関連付ける構成としてある。
【００１２】
画像形成システムをこのような構成にすれば、種別情報ごとに撮像対象の寸法から重量を求める重量係数を予め格納しているので、付加情報として被写体の種別情報が入力されれば、その被写体となる撮像対象の寸法はスケールから読み取れるため、自動的に撮像対象の重量を算出することができる。
このため、業者側端末装置では、付加情報として撮像対象の重量を記載した画像を表示、又は印刷することができる。
したがって、例えば、業者側端末装置が受信した画像情報が、釣り人からの魚の画像情報である場合には、魚の重量を記載した正確な魚拓を即座に作成することができ、釣り人は魚の重量を計測する手間がなくなる。
【００１３】
本発明の請求項４に記載の画像形成システムは、請求項１〜３のいずれか一項に記載の画像形成システムにおいて、画像出力手段は、被写体にスケール及び付加情報が記載された画像を印刷用紙に印字する印刷手段からなる構成としてある。
画像形成システムをこのような構成にすれば、印刷用紙に画像が形成されるので、正式な魚拓を提供することができる。
【００１４】
本発明の請求項５に記載の画像形成システムは、請求項１〜３のいずれか一項に記載の画像形成システムにおいて、画像出力手段は、被写体にスケール及び付加情報が記載された画像を表示する表示手段からなる構成としてある。
画像形成システムをこのような構成にすれば、液晶ビジョン等のモニタに付加情報の付された画像を表示させることができるので、様々なシーンにおいて情報提供することが可能となり、宣伝効果も得ることができる。
【００１５】
本発明の請求項６に記載の画像形成システムは、請求項１〜５のいずれか一項に記載の画像形成システムにおいて、業者側端末装置は、画像出力手段により出力される画像を、縮小または拡大する倍率設定を行う倍率設定手段を備え、画像出力手段は、倍率設定手段により設定された倍率に応じた画像を出力する構成としてある。
画像形成システムをこのような構成にすれば、画像を印刷用紙に印刷する場合には、携帯に便利な大きさに縮小したり、また、人目につく大きさに拡大したりすることが可能となり、利便性の幅を広げることができる。
【００１６】
本発明の請求項７に記載の画像形成装置は、レンズ系を介して撮像素子に被写体像を結像し、該結像時の合焦情報、ズーム情報、距離情報、及び絞り情報に基づいて寸法に関するデータを演算し、その演算データに基づいたスケールを被写体像に対応付けて画像情報を生成する撮像手段と、外部から入力された被写体に関する付加情報を撮像手段により生成された画像情報に関連付ける付加情報登録手段と、付加情報登録手段により付加情報を関連付けられた画像情報を外部に送信する画像情報送信手段とを備えた構成としてある。
【００１７】
画像形成装置をこのような構成にすれば、撮像手段によりスケールを対応付けた画像情報を生成でき、この画像情報に入力された付加情報を関連付けて、ネットワーク上に送信することができる。
このため、画像形成装置側の利用者は、特別な道具立てを必要とせずに被写体を撮像するだけで手早く被写体の画像情報を得られるとともに、この画像情報を業者側端末装置等へ送信することができる。
【００１８】
本発明の請求項８に記載の画像形成装置の制御方法は、レンズ系を介して撮像素子に被写体像を結像し、該結像時の合焦情報、ズーム情報、距離情報、及び絞り情報に基づいて寸法に関するデータを演算し、その演算データに基づいたスケールを被写体像に対応付けた画像情報を生成する撮像ステップと、外部から入力された被写体に関する付加情報を撮像手段により生成された画像情報に関連付ける付加情報登録ステップと、付加情報登録手段により付加情報を関連付けられた画像情報を外部に送信する画像情報送信ステップとを含む制御方法としてある。
【００１９】
画像形成装置の制御方法をこのような制御方法にすれば、スケールを対応付けた画像情報を生成でき、この画像情報に入力された付加情報を関連付けて、ネットワーク上に送信することができる。
このため、画像形成装置側の利用者は、特別な道具立てを必要とせずに被写体を撮像するだけで手早く被写体の画像情報を得られるとともに、この画像情報を業者側端末装置等へ送信することができる。
【００２０】
本発明の請求項９に記載の画像形成装置の制御プログラムは、レンズ系を介して撮像素子に被写体像を結像し、該結像時の合焦情報、ズーム情報、距離情報、及び絞り情報に基づいて寸法に関するデータを演算し、その演算データに基づいたスケールを被写体像に対応付けた画像情報を生成する撮像ステップと、外部から入力された被写体に関する付加情報を撮像手段により生成された画像情報に関連付ける付加情報登録ステップと、付加情報登録手段により付加情報を関連付けられた画像情報を外部に送信する画像情報送信ステップとを画像形成装置に実行させる画像形成装置の制御プログラムとしてある。
【００２１】
画像形成装置の制御プログラムをこのような制御プログラムにすれば、例えば、制御プログラムを記憶させた記録媒体をコンピュータを搭載した画像形成装置に直接装着して当該コンピュータに読み込ませることにより、スケールを対応付けた画像情報を生成でき、この画像情報に入力された付加情報を関連付けて、ネットワーク上に自動的に送信することができる。
このため、画像形成装置側の利用者は、特別な道具立てを必要とせずに被写体を撮像するだけで手早く被写体の画像情報を送信することができる。
【発明の効果】
【００２２】
本発明によれば、画像形成装置が、スケールを被写体像に対応付けて画像情報を生成する撮像手段と、被写体に関する付加情報を撮像手段により生成された画像情報に関連付ける付加情報登録手段と、付加情報登録手段により付加情報を関連付けられた画像情報を外部に送信する画像情報送信手段とを備えたことにより、特別な道具立てを必要とせず、手早く被写体の画像情報を得るとともに、必要十分な付加情報を画像情報に付加させることができ、且つ、遠隔地にもリアルタイムで被写体の画像情報を提供することができる。
【発明を実施するための最良の形態】
【００２３】
以下、本発明の実施例について図面を参照して説明する。
なお、本実施例においては、撮像対象を釣り場で釣り上げられた魚とし、この魚の画像情報に基づき魚拓を作成する実施例について説明する。
【００２４】
本発明の実施例に係る画像形成システムについて図１を参照して説明する。
同図は、本発明の実施例に係る画像形成システムの全体構成図である。
なお、図中の構成は、本発明を説明する上で最小限の構成である。
同図に示すように、画像形成システムは、画像形成装置１０と、ネットワーク２０と、業者側端末装置３０とを有している。
画像形成装置１０は、撮像手段１１と、付加情報登録手段１２と、重量係数格納手段１３と、重量算出手段１４と、画像情報送信手段１５とを含む。
【００２５】
撮像手段１１は、例えば、寸法表示可能なスチルビデオカメラシステム等で構成されており、レンズ系（マスタレンズ，焦点調節用レンズ，及び変倍レンズ等により構成される）を介して撮像素子に被写体像を結像し、この結像時の合焦情報（合焦したか否かの情報）、ズーム情報（変倍レンズを駆動して被写体を希望の大きさに拡大または縮小するときの変倍レンズ位置情報）、距離情報（レンズ位置情報）、及び絞り情報（絞りを駆動して被写体が適正な露出になるように制御したときの露出情報）に基づいて寸法に関するデータを演算し、その演算データに基づいたスケール情報を被写体像に対応付けて画像情報を生成する。
なお、この撮像手段１１には、本出願人により出願済みである特許出願（特開平５−１５３４６７号公報）に記載されている技術を用いることができる。
【００２６】
付加情報登録手段１２は、画像形成装置１０の外部から入力された被写体に関する付加情報を撮像手段１１により生成された画像情報に関連付ける。
付加情報としては、例えば、魚名，魚の重量，釣り日時，釣り場，釣り人，現認者等がある。
なお、付加情報登録手段１２は、後述する重量算出手段１４により撮像対象の重量を算出した場合には、スケール情報，付加情報とともに算出した重量を撮像手段１１により生成された画像情報に関連付ける。
【００２７】
重量係数格納手段１３は、魚種（種別情報）ごとに撮像対象のスケール情報から重量を求めるための重量係数を予め格納している。
重量算出手段１４は、付加情報から読み取った種別情報と、この種別情報に対応する重量係数と、スケール情報から求まる撮像対象の寸法とに基づいて、撮像対象の重量を算出する。
重量算出手段１４は、釣り人に釣り上げられ、撮像手段１１により撮像された魚の種類（魚種）及び寸法Ｌを、外部から入力された付加情報から読み取ると、重量係数のリストから対応する重量係数αを抽出して、寸法Ｌの値に乗ずる。すなわち、Ｌ（ｃｍ）×α（ｋｇ／ｃｍ）＝Ｌ・α（ｋｇ）と計算することにより、被写体とされた魚の重量を簡単に算出できる。
【００２８】
画像情報送信手段１５は、付加情報登録手段１２により付加情報を関連付けられた画像情報を、スケール情報とともにネットワーク２０を介して外部の業者側端末装置３０へ送信する。
なお、重量算出手段１４により魚の重量が算出されている場合には、この算出された重量は、付加情報登録手段１２により付加情報とともに撮像手段１１により生成された画像情報に関連付けられているため、画像情報送信手段１５は、付加情報と、算出された重量情報とを関連付けられた画像情報を送信する。
以下では、重量情報は、重量算出手段１４により算出されたものとして記載する。
【００２９】
ネットワーク２０は、例えば、インターネット，一般公衆回線網あるいは専用回線網等のネットワークであって、インターネット接続サービスを提供するものである。
【００３０】
業者側端末装置３０は、画像情報受信手段３１と、情報処理手段３２と、画像出力手段３３と、記憶手段３４と、倍率設定手段３５とを有している。
画像情報受信手段３１は、画像情報送信手段１５により送信され、ネットワーク２０を介して入力された画像情報、及びスケール情報，重量情報を受信する。
情報処理手段３２は、画像情報受信手段３１により受信された画像情報及びこの画像情報に関連付けられている付加情報，スケール情報，重量情報を記憶手段３４に記憶させるとともに、画像情報及び付加情報，重量情報を画像出力手段３３に出力する。
また、情報処理手段３２は、外部からの操作に応じて、適宜、記憶手段３４に記憶された画像情報、付加情報、スケール情報、重量情報を、検索，統計処理等することができる。
【００３１】
画像出力手段３３は、例えば、プリンタ等の印刷手段、或いは液晶ビジョン等の表示手段で構成されており、画像情報受信手段３１により受信された画像情報に基づいて被写体にスケール及び付加情報が記載された画像を出力する。
すなわち、画像出力手段３３は、情報処理手段３２により出力された画像情報及び付加情報，重量情報を読み取って、これに基づく画像を出力している。
【００３２】
したがって、印刷手段により画像を出力する場合には、印刷用紙に画像が形成されるので、正式な魚拓を提供することができる。
また、表示手段により画像を出力する場合には、様々なシーンにおいて情報提供することが可能となり、宣伝効果を得るができる。
なお、ここでの印刷手段には、本出願人により出願済みである特許出願（特開平３−１７２２５５号公報）に記載されている技術を適用することにより、長尺用紙への画像印刷が可能となり、魚拓のような長さのある画像を印刷する場合には最適である。
【００３３】
記憶手段３４は、例えば、磁気ディスク、光ディスク、半導体メモリ、その他コンピュータで読み取り可能な任意の手段からなり、情報処理手段３２により出力された付加情報，スケール情報，重量情報を記憶し、保持する。
また、この記憶手段３４は、業者側端末装置３４とＬＡＮ等によりネットワーク接続されるファイルサーバーとし、他の端末装置とデータを共有することもできる。
なお、このように、記憶手段３４に画像情報等をデータベース化することにより、蓄積情報の活用が可能となる。例えば、ある地方のどの季節に、どのような種類の魚が釣れやすいか、魚の重量はどの季節又はどの地方が重いのか、といった過去の統計を業者側端末装置３０で処理することができる。
【００３４】
倍率設定手段３５は、画像出力手段３３により出力される画像を、縮小または拡大する倍率設定を行う。
すなわち、倍率設定手段３５は、操作部（図示せず）等から入力された倍率指定に基づき設定した倍率を、情報処理手段３２へ出力する。情報処理手段３２は、その倍率設定に応じた画像情報を画像出力手段３３へ出力し、画像出力手段３３により倍率設定された画像情報に基づく画像（倍率設定手段３５により設定された倍率に応じた画像）が出力される。
画像を印刷用紙に印刷する場合には、携帯に便利な大きさに縮小したり、また、人目につく大きさに拡大したりすることが可能となり、利便性の幅を広げることができる。
【００３５】
次に、本実施例の画像形成システムの動作について、図２及び図３を参照して説明する。
図２は、本実施例の画像形成システムにおける画像処理装置の動作を示すフローチャートである。
図２において、画像形成装置１０において、撮像手段１１は撮像対象物を撮像すると、レンズ系を介して撮像素子に被写体像を結像する（ステップＳ２０１、撮像ステップ）。
ステップＳ２０１で被写体像を結像したときの合焦情報，ズーム情報，距離情報，及び絞り情報に基づいて、撮像手段１１は寸法に関するデータを演算する（ステップＳ２０２、撮像ステップ）。
そして、ステップＳ２０２で演算した寸法データに基づくスケール情報を被写体像に対応付けた画像情報を生成する（ステップＳ２０３、撮像ステップ）。
【００３６】
ステップＳ２０１〜２０３により画像情報が取得されると、画像形成手段１０は、外部から入力された被写体に関する魚名等の付加情報が外部から入力されたか否かを判断する（ステップＳ２０４）。
さらに、ステップＳ２０４で入力された付加情報に被写体とされた魚の重量情報が含まれているか否かを判断する（ステップＳ２０５）。
重量情報が含まれている場合にはステップＳ２０８へ進み、含まれていない場合には入力された付加情報から魚種情報とスケール情報とを重量算出手段１４に読み取らせる（ステップＳ２０６）。
ステップＳ２０６で重量算出手段１４は魚種情報と寸法情報を読み取ると、重量係数格納手段１３から魚種情報に応じた重量係数を抽出するとともに、この抽出した重量係数とスケール情報とを乗じることにより、被写体とされた魚の重量を算出する（ステップＳ２０７）。
【００３７】
ステップＳ２０５で重量情報が入力されたと判断された場合、及びステップＳ２０７で魚の重量が算出された場合には、付加情報登録手段１２は入力された付加情報、及び魚の重量情報をステップＳ２０３で生成された画像情報に関連付ける（ステップＳ２０８、付加情報登録ステップ）。
そして、ステップＳ２０８で付加情報等を関連付けられると、画像情報送信手段１３は、この画像情報、及びスケール情報，付加情報，重量情報をネットワーク２０を介して業者側端末装置３０へ送信する（ステップＳ２０９、画像情報送信ステップ）。
【００３８】
図３は、本実施例の画像形成システムにおける業者側端末装置の動作を示すフローチャートである。
図３において、業者側端末装置３０において画像情報受信手段３１は、画像形成装置１０からネットワーク２０を介して送信されてきた画像情報、及びスケール情報，付加情報，重量情報を受信する（ステップＳ３０１）。
業者側端末装置３０は、ステップＳ３０１で画像情報を受信すると、この画像情報に対する倍率設定がなされているか否かを判断する（ステップＳ３０２）。
【００３９】
ステップＳ３０２で倍率設定がなされていないと判断された場合には、情報処理手段３２は、画像情報受信手段３１により受信された画像情報に基づいて被写体にスケール情報及び付加情報が記載された画像を、画像出力手段３３により出力させるとともに、記憶手段３４に保存する（ステップＳ３０３）。
一方、ステップＳ３０２で倍率設定がなされていると判断された場合には、倍率設定手段３５により設定された倍率に応じて画像情報受信手段３１により受信された画像情報の倍率を変更する（ステップＳ３０４）。
次いで、情報処理手段３２は、ステップＳ３０４で倍率変更された画像情報に基づいて被写体にスケール及び付加情報が記載された画像を、画像出力手段３３により出力するとともに、記憶手段３４に保存する（ステップＳ３０５）。
【００４０】
以上のように、本実施例に係る画像形成システムによれば、画像形成装置１０が、スケールを被写体像に対応付けて画像情報を生成する撮像手段１１と、被写体に関する付加情報を撮像手段１１により生成された画像情報に関連付ける付加情報登録手段１２と、付加情報登録手段１２により付加情報を関連付けられた画像情報を外部に送信する画像情報送信手段１５とを備えたことにより、特別な道具立てを必要とせず、手早く被写体の画像情報を得るとともに、必要十分な付加情報を画像情報に付加させることができ、且つ、遠隔地にもリアルタイムで被写体の画像情報を提供することができる。
【００４１】
以上、本発明の画像形成システムについて、好ましい実施例を示して説明したが、本発明に係る画像形成システムは、上述した実施例にのみ限定されるものではなく、本発明の範囲で種々の変更実施が可能であることは言うまでもない。
例えば、重量係数格納手段は１３，重量算出手段１４は、付加情報として魚の重量が画像形成装置１０へ入力されていない場合に、画像形成装置１０の内部処理により魚の重量を算出するために必要な構成としてある。したがって、付加情報として魚の重量が入力される場合には、重量係数格納手段１３，重量算出手段１４を省略することができるのは勿論である。
【００４２】
また、上記実施例では、本発明を説明する上で最小限の構成について説明をしたが、これに限るものではなく、複数の画像形成装置１０をネットワーク２０へ接続し、これら複数の画像形成装置２０から送信される画像情報に基づいて単一の業者側端末装置３０により画像出力することも可能であり、また、複数の業者側端末装置３０をネットワーク２０に接続し、単一の画像形成装置１０から送信された画像情報に基づいて、複数の業者側端末装置３０で共通の画像を出力することも可能であることは勿論である。
【００４３】
さらに、画像形成装置１０では、付加情報登録手段１２により付加情報を画像情報に関連付けているが、これと同時に画像情報に対して付加情報に含まれる釣り場情報、現認者情報等を電子透かしとして埋め込むことも可能である。
このように画像情報に電子透かしを付与することにより、画像情報を不正に利用することを防止することができる。
【００４４】
また、上記実施例では、業者側端末装置３０は、単体の装置として説明をしたが、これに限るものではなく、例えば、図１において、業者側端末装置３０をホストコンピュータ、或いはサーバとし、画像出力手段３３（プリンタ）と倍率設定手段３５（パーソナルコンピュータ端末）をＬＡＮ等のネットワークに接続して、業者側端末装置３０から独立させる構成とすることもできる。
【００４５】
また、上記実施例に係る画像形成システムにおける画像形成装置の動作は、画像形成装置の制御プログラムに制御されるコンピュータにより実行することができる。画像形成装置の制御プログラムは、例えば、記録媒体により提供される。記録媒体としては、例えば、磁気ディスク、光ディスク、半導体メモリ、その他コンピュータで読み取り可能な任意の手段を使用することができる。
また、記録媒体に記録された画像形成装置の制御プログラムは、記録媒体を直接コンピュータに装着して当該コンピュータに読み込ませることができ、また、通信回線を介してコンピュータに読み込ませるようにしても良い。
【産業上の利用可能性】
【００４６】
本発明は、例えば、画像形成装置を船上に備え、自宅又は釣具店等に業者側端末装置を備えることにより、釣り人の手を煩わすことなく、釣り上げられた魚の魚拓を自宅又は釣具店等の遠隔地において作成する用途に適用できる。
【図面の簡単な説明】
【００４７】
【図１】本発明の実施例に係る画像形成システムの全体構成図である。
【図２】本発明の実施例に係る画像形成装システムにける画像形成装置の動作を示したフローチャートである。
【図３】本発明の実施例に係る画像形成装システムにける業者側端末装置の動作を示したフローチャートである。
【符号の説明】
【００４８】
１０  画像形成装置
１１  撮像装置
１２  付加情報登録手段
１３  重量係数格納手段
１４  重量算出手段
１５  画像情報送信手段
２０  ネットワーク
３０  業者側端末装置
３１  画像情報受信手段
３２  情報処理手段
３３  画像出力手段
３４  記憶手段
３５  倍率設定手段
【図１】
2005039653.tif 000003
【図２】
2005039653.tif 000004
【図３】
2005039653.tif 000005